(57)【要約】【課題】物理量の詳細を正確にユーザに直感的に認識させる。【解決手段】  変動量を表す変動量画像を表示装置に表示させる表示制御装置は、変動量を示す量信号を入力する手段を備え、変動量信号が示す量を表す変動量画像を生成する手段を備え、変動量画像は、第１変動量単位の量を表す第１フラクタル画像と、第１変動量単位より小さい第２変動量単位の量を表す第２フラクタル画像と、を含み、変動量画像を表示装置に表示させる手段を備える。【選択図】図３
2019061388.tif 000002
【特許請求の範囲】
【請求項１】
物理量を表す画像を表示装置に表示させる表示制御装置であって、
物理量を示す所定の信号を入力する手段を備え、
前記所定の信号が示す物理量を表す画像を生成する手段を備え、
前記画像は、第１所定単位の物理量を表す第１フラクタル画像と、前記第１所定単位より小さい第２所定単位の物理量を表す第２フラクタル画像と、を含み、
前記画像を前記表示装置に表示させる手段を備える、
表示制御装置。
【請求項２】
前記生成する手段は、第１方向と、前記第１方向とは異なる第２方向と、によって規定される二次元空間に複数の第１フラクタル画像を配置する、
請求項１に記載の表示制御装置。
【請求項３】
前記生成する手段は、
前記第１方向にｎ（ｎは２以上の整数）個の第１フラクタル画像を配置することにより、第１フラクタル画像列を形成し、
前記第２方向にｍ（ｍは１以上）個の第１フラクタル画像列を配置する、
請求項２に記載の表示制御装置。
【請求項４】
前記生成する手段は、
前記第１方向にｐ（ｐは２以上）個の第２フラクタル画像を配置することにより、第２フラクタル画像列を形成し、
前記第２方向にｑ（ｑは１以上）個の第２フラクタル画像列を配置することにより、１つの第１フラクタル画像を形成する、
請求項２又は３に記載の表示制御装置。
【請求項５】
前記生成する手段は、複数のフラクタル画像を格子状に配置する、
請求項１〜４の何れかに記載の表示制御装置。
【発明の詳細な説明】
【技術分野】
【０００１】
本発明は、表示制御装置に関する。
【背景技術】
【０００２】
変動する何らかの値を画像で表すシステムが採用されている例としてオーディオシステム等が挙げられる。オーディオシステムでは、ユーザが音量を調整するための操作を行うと、ユーザの操作に応じた画像が表示装置（例えば、液晶ディスプレイ）に表示される。
【０００３】
例えば、特許文献１には、一定方向に配列された長方形画像の数によって音量を表すことが開示されている。ユーザが音量を調整するための操作を行うと、調整後の音量に対応する数の長方形画像が配列される。ユーザは、長方形画像の数から、音量を認識することができる。
【０００４】
このように、従来、一次元空間に配列された画像を用いて、音量をユーザに提示することが知られている。
【先行技術文献】
【特許文献】
【０００５】
【特許文献１】特開２０１１−１５５６９０号公報
【発明の概要】
【発明が解決しようとする課題】
【０００６】
しかし、特許文献１に開示されている技術の場合、一次元で表された画像を用いて値を提示することとしているため、ユーザが認識可能な単位は１種類に限られる。
【０００７】
例えば、特許文献１において、配列可能な長方形画像の上限数が小さい場合、１つの長方形画像によって表される値の単位は大きくなる。この場合、ユーザは、長方形画像の数から小さい単位の値を直感的に認識することが難しい。
【０００８】
一方、配列可能な長方形画像の上限数が大きい場合、長方形画像の数によって表される値の単位は小さくなる。この場合、ユーザは、長方形画像の数から大きい単位の値を直感的に認識することが難しい。
【０００９】
このように、従来、一次元で表された画像を用いて値をユーザに提示するため、正確な値をユーザに直感的に認識させることが難しい。
【００１０】
本発明の目的は、正確な値をユーザに直感的に認識させることである。
【課題を解決するための手段】
【００１１】
本発明の一態様は、
物理量を表す画像を表示装置に表示させる表示制御装置であって、
物理量を示す所定の信号を入力する手段を備え、
前記所定の信号が示す物理量を表す画像を生成する手段を備え、
前記画像は、第１所定単位の物理量を表す第１フラクタル画像と、前記第１所定単位より小さい第２所定単位の物理量を表す第２フラクタル画像と、を含み、
前記画像を前記表示装置に表示させる手段を備える、
表示制御装置である。
【発明の効果】
【００１２】
本発明によれば、正確な値をユーザに直感的に認識させることができる。
【図面の簡単な説明】
【００１３】
【図１】本実施形態の物理量表示システムの構成を示す概略図である。
【図２】図１の物理量表示システムの機能ブロック図である。
【図３】本実施形態の概要の説明図である。
【図４】図１の表示制御装置の処理のフローチャートである。
【図５】図４の処理によって表示装置に表示される第１フラクタル画像の一例を示す図である。
【図６】図４の処理によって表示装置に表示される第１フラクタル画像の一例を示す図である。
【図７】図４の処理によって表示装置に表示される第１フラクタル画像の一例を示す図である。
【図８】図４の処理によって表示装置に表示される第２フラクタル画像の一例を示す図である。
【図９】図本実施形態の物理量表示システムの他の表示例である。
【図１０】図本実施形態の物理量表示システムの回路図の例である。
【発明を実施するための形態】
【００１４】
以下、本発明の一実施形態について、図面に基づいて詳細に説明する。なお、実施形態を説明するための図面において、同一の構成要素には原則として同一の符号を付し、その繰り返しの説明は省略する。
【００１５】
（１）物理量表示システムの構成
本発明による表示制御装置として具現化される物理量表示システムの構成を説明する。図１は、本実施形態の物理量表示システムの構成を示す概略図である。なお、本システムによる物理量は、変動する何らかの値の詳細を正確に且つ直感的にユーザにさせるためのものである。したがって、物理量表示システムに入力される信号（即ち、表示される物理量の信号ソース）は、ユーザによる制御によって変動するものであってもよいし、外部から入力される何らかの物理量（例えば、対象物から得られる電気信号等が挙げられるがこれに限られない）であってもよい。以下においては、ユーザの操作に連動して表示が制御される前者の例を説明するが、本発明は後者の例にも適用可能である。
【００１６】
図１に示すように、物理量表示システム１は、表示制御装置１０と、物理量調整装置２０と、表示装置３０と、を備える。以下において説明する物理量表示システム１は、例えば、ユーザの操作によって入力される信号が変わるものである。
【００１７】
物理量調整装置２０は、基準線２０ａを含む。物理量調整装置２０は、ユーザの操作に応じて、基準線２０ａの位置に対応する物理量を生成するように構成される。
物理量調整装置２０は、例えば、ダイアルである。ユーザは、物理量調整装置２０を回転させることにより、物理量を調整することができる。
【００１８】
表示制御装置１０は、物理量調整装置２０によって生成された物理量に基づいて、表示装置３０に表示すべき画像を生成するように構成される。ここで表示される画像とは物理量調整装置２０に対するユーザ操作に応じた物理量を示す画像である。
【００１９】
表示装置３０は、表示制御装置１０によって生成された画像を表示するように構成される。表示装置３０は、例えば、液晶ディスプレイ、又は、有機ＥＬ(Electro Luminescence)ディスプレイである。
【００２０】
（１−１）表示制御装置の構成
表示制御装置１０の構成を説明する。図２は、図１の物理量表示システムの機能ブロック図である。
【００２１】
表示制御装置１０は、記憶装置１１と、プロセッサ１２と、入出力インタフェース１３と、通信インタフェース１４と、を備える。
【００２２】
記憶装置１１は、表示制御装置１０の処理に用いられるプログラムを記憶するように構成される。
【００２３】
プロセッサ１２は、記憶装置１１に記憶されたプログラムを起動することによって、表示制御装置１０の機能を実現するように構成される。プロセッサ１２は、コンピュータの一例である。
【００２４】
入出力インタフェース１３は、表示制御装置１０に接続される入力デバイスからユーザの指示を取得し、かつ、表示制御装置１０に接続される出力デバイスに情報を出力するように構成される。
入力デバイスは、例えば、物理量調整装置２０、キーボード、ポインティングデバイス、タッチパネル、何らかの物理量を測定する計測器からの出力又は、それらの組合せである。
出力デバイスは、例えば、表示装置３０である。
【００２５】
（２）本実施形態の概要
本実施形態の概要を説明する。図３は、本実施形態の概要の説明図である。
【００２６】
図３に示すように、表示制御装置１０によって生成される画像は、複数の第１フラクタル画像ＦＰ１により、第１物理量単位の物理量が表される。複数の第１フラクタル画像ＦＰ１は、Ｙ方向（「第１方向」の一例）と、Ｙ方向に直交するＸ方向（「第２方向」の一例）によって規定される二次元空間（以下「ＸＹ空間」という）に配置される。
【００２７】
図３Ａに示すように、物理量「０」から第１物理量単位で物理量が増加した場合、第１フラクタル画像ＦＰ１（１，１）が配置される。
【００２８】
第１物理量単位で物理量が更に増加した場合、図３Ｂに示すように、複数の第１フラクタル画像ＦＰ１１〜ＦＰ１ｎがＹ方向に配列される。これにより、Ｘ＝１の位置に、所定の上限数（ｎ（ｎは２以上の整数）個）の第１フラクタル画像ＦＰ１（１，１）〜ＦＰ１（１，ｎ）から構成される第１フラクタル画像列Ｆ１（１）が形成される。
【００２９】
第１フラクタル画像列Ｆ１（１）を構成する第１フラクタル画像ＦＰ１の数がｎに達した場合、図３Ｃに示すように、Ｘ方向にシフトした位置（Ｘ＝２）に、第１フラクタル画像ＦＰ１（２，１）が配置される。
【００３０】
物理量が最大になった場合、図３Ｄに示すように、ｎ×ｎ個の第１フラクタル画像ＦＰ１（１，１）〜ＦＰ１（ｎ，ｎ）が配置される。この場合、Ｘ方向にｎ個の第１フラクタル画像列Ｆ１（１）〜Ｆ１（ｎ）が配列される。
なお、上述した実施の形態においては、Ｘ方向に配列されるフラクタル画像とＹ方向に配列されるフラクタル画像が同一（即ち全体として正方形を呈する状態）であったが、必要に応じて、これらは変更可能である。即ち、ｎ×ｍ個の第１フラクタル画像を配置することとしてもよい。
【００３１】
このように、第１物理量単位の物理量は、第１フラクタル画像ＦＰ１の数により表される。
【００３２】
図３Ｃに示すように、各第１フラクタル画像ＦＰ１は、１〜ｎ×ｎ個の第２フラクタル画像ＦＰ２（１，１）〜ＦＰ２（ｎ，ｎ）から構成される。
つまり、Ｙ方向にｎ個配列された第２フラクタル画像ＦＰ２は、第２フラクタル画像列Ｆ２を形成する。第２フラクタル画像列Ｆ２は、Ｘ方向にｎ個配列される。
換言すると、第２フラクタル画像ＦＰ２のＸＹ空間上の配列（図３Ｃ）は、第１フラクタル画像ＦＰ１（図３Ｄ）と同一である。
【００３３】
なお、上述した説明及び図面のＸ軸及びＹ軸（横及び縦）は適宜入れ替えることができる。また、Ｘ軸とＹ軸は必ずしも直交している必要はない。
【００３４】
第１物理量単位より小さい第２物理量単位で物理量が変化した場合、Ｘ座標の最大値及びＹ座標の最大値に位置する第１フラクタル画像（以下「最大第１フラクタル画像」という）ＦＰ１（２，１）を構成する第２フラクタル画像ＦＰ２の数が増減する。
第２物理量単位の物理量は、最大第１フラクタル画像を構成する第２フラクタル画像ＦＰ２の数により表される。
【００３５】
このように、本実施形態の表示制御装置１０は、二次元空間に配置されたフラクタル画像を用いて、物理量をユーザに提示する。第１フラクタル画像のＸ方向及びＹ方向の配列の数と、第２フラクタル画像のＸ方向及びＹ方向の配列の数は必ずしも一致する必要はなく、例えば、ｎ×ｍ個の第１フラクタル画像と、ｐ×ｑ個の第２フラクタル画像を利用することとしてもよい。
【００３６】
（３）表示制御装置の処理
表示制御装置１０の処理を説明する。図４は、図１の表示制御装置の処理のフローチャートである。図５〜図７は、図４の処理によって表示装置に表示される第１フラクタル画像の一例を示す図である。図８は、図４の処理によって表示装置に表示される第２フラクタル画像の一例を示す図である。
以下の説明では、第１物理量単位が物理量値１であり、第２物理量単位が物理量値０．０１であり、ｎ＝１０であるとする。１列の第１フラクタル画像列Ｆ１は、１０個の第１フラクタル画像ＦＰ１から構成される。１列の第２フラクタル画像列Ｆ２は、１０個の第２フラクタル画像ＦＰ２から構成される。
【００３７】
図４に示すように、ユーザが物理量調整装置２０を操作すると（Ｓ１００：ＹＥＳ）、表示制御装置１０は、物理量信号の入力（Ｓ１０１）を実行する。
具体的には、ユーザが物理量調整装置２０を操作すると、物理量調整装置２０は、基準線２０ａの位置に対応する物理量を示す物理量信号を生成する。
プロセッサ１２は、物理量調整装置２０から物理量信号を入力する。
【００３８】
ステップＳ１０１の後、表示制御装置１０は、画像の生成（Ｓ１０２）を実行する。
具体的には、プロセッサ１２は、物理量信号が示す物理量の値を、第１物理量単位の値と、第２物理量単位の値と、に分割する。
【００３９】
プロセッサ１２は、第１物理量単位の値に基づいて、第１フラクタル画像ＦＰ１の数及び配列を決定する。
【００４０】
例えば、物理量信号が物理量「５０」を示す場合、第１フラクタル画像ＦＰ１の数は５０個である。この場合、図５に示すように、５０個の第１フラクタル画像ＦＰ１がＸＹ空間に格子状に配置され、５個の第１フラクタル画像列Ｆ１がＸ方向に並ぶ。
【００４１】
例えば、物理量信号が物理量「１００」を示す場合、第１フラクタル画像ＦＰ１の数は１００個である。この場合、図６に示すように、１００個の第１フラクタル画像ＦＰ１がＸＹ空間に格子状に配置され、１０個の第１フラクタル画像列Ｆ１がＸ方向に並ぶ。
【００４２】
例えば、物理量信号が物理量「５１．２５」を示す場合、第１フラクタル画像ＦＰ１の数は５１個である。この場合、図７に示すように、５１個の第１フラクタル画像ＦＰ１がＸＹ空間に格子状に配置され、６個の第１フラクタル画像列Ｆ１がＸ方向に並ぶ。
最大第１フラクタル画像ＦＰ１（６，２）は、２５個の第２フラクタル画像ＦＰ２から構成される。この２５個の第２フラクタル画像ＦＰ２は、第１フラクタル画像ＦＰ１と同様に、ＸＹ空間に格子状に配置され、３個の第２フラクタル画像列Ｆ２（１）〜（３）がＸ方向に並ぶ。
【００４３】
ユーザが物理量調整装置２０に対して物理量を調整する操作を行うと、最大第１フラクタル画像ＦＰ１（６，２）を構成する第２フラクタル画像ＦＰ２の数及び配列が変化する。
【００４４】
ステップＳ１０２の後、表示制御装置１０は、画像の出力（Ｓ１０３）を実行する。
具体的には、プロセッサ１２は、ステップＳ１０２で生成した第１フラクタル画像ＦＰ１及び第２フラクタル画像ＦＰ２の組合せから構成される画像の画像データを生成する。
プロセッサ１２は、生成した画像データを表示装置３０に出力する。
【００４５】
表示装置３０は、ステップＳ１０３において出力された画像データに基づく画像を表示する。
ユーザは、表示装置３０に表示された画像から、正確な物理量を直感的に認識することができる。
【００４６】
なお、説明の便宜のために、図示された第１フラクタル画像と第２フラクタル画像とは互いに離間して表示していたが、密着して配置することとしてもよい。
【００４７】
（４）表示制御装置の使用例
表示制御装置１０の使用例を説明する。
【００４８】
表示制御装置１０は、ユーザの操作に応じた音量の音を出力するオーディオシステムに配置可能である。この場合、表示制御装置１０は、音量を示す画像を生成する。
【００４９】
表示制御装置１０は、ユーザの操作に応じたレベルの電気信号を出力する電子機器に配置可能である。この場合、表示制御装置１０は、信号レベルを示す画像を生成する。
【００５０】
表示制御装置１０は、ユーザの操作に応じたレベルの光を出力する光学機器に配置可能である。この場合、表示制御装置１０は、光量を示す画像を生成する。
【００５１】
（５）本実施形態の小括
本実施形態について小括する。
【００５２】
本実施形態の第１態様は、
フラクタルを用いて、物理量を表す画像ＩＭＧを表示装置３０に表示させる表示制御装置１０であって、
物理量を示す物理量信号を入力する手段（例えば、ステップＳ１０１を実行するプロセッサ１２）を備え、
物理量信号が示す物理量を表す画像ＩＭＧを生成する手段（例えば、ステップＳ１０２を実行するプロセッサ１２）を備え、
画像ＩＭＧは、第１物理量単位の物理量を表す第１フラクタル画像ＦＰ１と、第１物理量単位より小さい第２物理量単位の物理量を表す第２フラクタル画像ＦＰ２と、を含み、
画像ＩＭＧを表示装置３０に表示させる手段（例えば、ステップＳ１０３を実行するプロセッサ１２）を備える、
表示制御装置である。
【００５３】
第１態様によれば、二次元で表されたフラクタル画像を用いて物理量を提示するため、正確な物理量をユーザに直感的に認識させること
【００５４】
本実施形態の第２態様では、
生成する手段は、第１方向（例えば、Ｙ方向）と、第１方向に直交する第２方向（例えば、Ｘ方向）と、によって規定される二次元空間に複数の第１フラクタル画像ＦＰ１を配置する。
【００５５】
本実施形態の第３態様では、
生成する手段は、
第１方向にｎ（ｎは２以上の整数）個の第１フラクタル画像ＦＰ１を配置することにより、第１フラクタル画像列Ｆ１を形成し、
第２方向にｎ個の第１フラクタル画像列Ｆ１を配置する。
【００５６】
本実施形態の第４態様では、
生成する手段は、
第１方向にｎ個の第２フラクタル画像ＦＰ２を配置することにより、第２フラクタル画像列Ｆ２を形成し、
第２方向にｎ個の第２フラクタル画像列Ｆ２を配置することにより、１つの第１フラクタル画像ＦＰ１を形成する。
【００５７】
本実施形態の第５態様では、
生成する手段は、複数のフラクタル画像（例えば、第１フラクタル画像ＦＰ１及び第２フラクタル画像ＦＰ２）を格子状に配置する。
【００５８】
第２態様〜第５態様によれば、ＸＹ空間に配置された２つのフラクタル画像（第１フラクタル画像ＦＰ１及び第２フラクタル画像ＦＰ２）の組合せを用いて物理量を提示するため、正確な物理量をユーザにより直感的に認識させることができる。
【００５９】
（６）その他の変形例
【００６０】
物理量調整装置２０は、一定方向に移動可能なスライダであっても良い。この場合、物理量調整装置２０は、スライダの位置に応じた物理量信号を生成する。
ユーザは、物理量調整装置２０を所定の方向をスライドさせることにより、物理量を調整することができる。
【００６１】
物理量調整装置２０は、外部装置（例えば、スマートフォン、タブレット、リモートコントローラ、又は、パーソナルコンピュータ）であっても良い。この場合、物理量調整装置２０は、表示制御装置１０と通信可能に接続され、且つ、ユーザの操作に応じた物理量信号を表示制御装置１０に送信する。
ユーザは、物理量調整装置２０に対して所定の操作を行うことにより、物理量を調整することができる。
【００６２】
プロセッサ１２は、物理量調整装置２０に代えて、表示装置３０に表示される画像オブジェクトに対するユーザの操作に応じて、物理量信号を入力しても良い。
ユーザは、画像オブジェクトに対して所定の操作を行うことにより、物理量を調整することができる。
【００６３】
なお、例えば、図９に示されけるように、正の値及び負の値を表示することとしてもよい。この場合図示されるように、０を示す直線よりも右側の領域を正の値を表す領域とし、０を示す直線よりも右側の領域を負の値を表す領域としてもよい。
【００６４】
上述した説明においては、第１フラクタル画像及び第２フラクタル画像で構成される画像は正方形（ｎ×ｎ）の外形を有していたが、長方形であってもよい。この場合、Ｙ方向にｎ（ｎは２以上の整数）個の第１フラクタル画像を配置して第１フラクタル画像列を形成し、Ｘ方向にｍ（ｍは１以上）個の第１フラクタル画像列を配置することとすればよい。またＹ方向にｐ（ｐは２以上）個の第２フラクタル画像を配置して第２フラクタル画像列を形成し、Ｙ方向にｑ（ｑは１以上）個の第２フラクタル画像列を配置することとすればよい。
【００６５】
なお、本発明の「フラクタル」の語は厳密に自己相似形である必要はなく、個々の単位が集合して一つの形を構成するものであってもよい。
【００６６】
以上説明したように、本発明は、物理量を表す数値の増加（減少）を縦方向（図３Ａ）及び横方向（図３Ｂ）に並ぶ指標（第１フラクタル画像）と、当該指標自体の構成を更に細かい指標（第２フラクタル画像）の縦方向（図３Ｃ）及び横方向（図３Ｃ）の配列によって表現することとした。本発明においては、第２フラクタル画像の構成を更に細かい指標（第３フラクタル画像：図示せず）の縦方向（図３Ｃ）及び横方向（図３Ｃ）の配列によって表現しすることも可能であり、理論上は、第Ｎフラクタル画像まで利用することが可能である。なお、数値は１０進数とは限らないし各桁が違っても良い。このように、変化する方向を交互にすることで、物理量の変化の詳細を見易くできる。
【００６７】
以上、本発明の実施形態について詳細に説明したが、本発明の範囲は上記の実施形態に限定されない。例えば、音量以外にも、強度、距離、体積等、変動し得る様々な値を視覚的に表示することが可能であるまた、上記の実施形態は、本発明の主旨を逸脱しない範囲において、種々の改良や変更が可能である。また、上記の実施形態及び変形例は、組合せ可能である。
【符号の説明】
【００６８】
１      ：物理量表示システム
１０    ：表示制御装置
１１    ：記憶装置
１２    ：プロセッサ
１３    ：入出力インタフェース
２０    ：物理量調整装置
３０    ：表示装置
【図１】
2019061388.tif 000003
【図２】
2019061388.tif 000004
【図３】
2019061388.tif 000005
【図４】
2019061388.tif 000006
【図５】
2019061388.tif 000007
【図６】
2019061388.tif 000008
【図７】
2019061388.tif 000009
【図８】
2019061388.tif 000010
【図９】
2019061388.tif 000011
【図１０】
2019061388.tif 000012
【手続補正書】
【提出日】平成30年4月11日(2018.4.11)
【手続補正１】
【補正対象書類名】特許請求の範囲
【補正対象項目名】全文
【補正方法】変更
【補正の内容】
【特許請求の範囲】
【請求項１】
物理量を表す画像を表示装置に表示させる表示制御装置であって、
物理量を示す所定の信号を入力する手段を備え、
前記所定の信号が示す物理量に応じて画像を生成する手段を備え、
前記画像は、第１所定単位の物理量を表す第１フラクタル画像と、前記第１所定単位より小さい第２所定単位の物理量を表す第２フラクタル画像と、を含み、
前記画像を前記表示装置に表示させる手段を備える、
表示制御装置であって、
前記生成する手段は、
前記第１方向に増加するｎ（ｎは２以上の整数）個の第１フラクタル画像を配置することにより、第１フラクタル画像列を形成し、
前記第２方向に増加するｍ（ｍは２以上）個の前記第１フラクタル画像列を配置し、
前記第１方向に増加するｐ（ｐは２以上）個の第２フラクタル画像を配置することにより、第２フラクタル画像列を形成し、前記第２方向に増加するｑ（ｑは１以上）個の第２フラクタル画像を配置することにより、１つの第１フラクタル画像を形成し、
前記第２フラクタル画像は、前記第１フラクタル画像を構成する画像である
表示制御装置。
【請求項２】
前記生成する手段は、第１方向と、前記第１方向とは異なる第２方向と、によって規定される二次元空間に複数の第１フラクタル画像を配置する、
請求項１に記載の表示制御装置。
【請求項３】
前記生成する手段は、複数のフラクタル画像を格子状に配置する、
請求項１又は請求項２の何れかに記載の表示制御装置。
【手続補正書】
【提出日】平成30年9月25日(2018.9.25)
【手続補正１】
【補正対象書類名】特許請求の範囲
【補正対象項目名】全文
【補正方法】変更
【補正の内容】
【特許請求の範囲】
【請求項１】
物理量を表す画像をディスプレイに表示させる表示制御装置であって、
物理量を示す所定の信号を入力する手段と、
前記所定の信号が示す物理量に応じて画像を生成する手段と、
前記画像を前記ディスプレイに表示させる手段とを備え、
前記生成する手段は、
第１所定単位の物理量を表す第１画像を、前記第１方向にｎ（ｎは２以上の整数）個、前記第２方向にｍ（ｍは２以上）個、行列状に配置して前記画像を形成し、
前記第１所定単位より小さい第２所定単位の物理量を表す第２画像を、前記第１方向にｐ（ｐは２以上）個、前記第２方向にｑ（ｑは１以上）個、行列状に配置することにより、１つの前記第１画像を形成する、
表示制御装置。
【請求項２】
前記生成する手段は、第１方向と、前記第１方向とは異なる第２方向と、によって規定される二次元空間に複数の前記第１画像を配置する、
請求項１に記載の表示制御装置。